(57)【要約】【課題】既存の木造家屋の横架材と基礎の間又は２つの横架材間に床材や天井下地を取り除くことなく容易に設置することができ、耐震性と免震性を向上することのできる耐震補強筋交い用具及び耐震補強筋交い用具施工方法の提供にある。【解決手段】既存の木造家屋における横架材と基礎との間に配設する耐震補強筋交い用具であって、外周にねじ山が螺刻され横架材内に螺着する筒状体と、一端にねじ山が螺刻されるとともに他端に少なくとも筒状体の内径よりも径大な頭部が設けられた該筒状体内に挿通する第１筋交い部材と、少なくとも一端にねじ山が螺刻され基礎内に他端を埋設固着する第２筋交い部材と、第１、第２筋交い部材のねじ山に螺合する螺合孔が設けられた連結部材とからなり、前記筒状体の一端には長手方向に所要数のスリット状の切欠部が設けられ且つ該頭部が一端内に位置した際に拡開する拡開部が形成されてなることを特徴とする。【選択図】図６
2007278056.tif 000002
【特許請求の範囲】
【請求項１】
既存の木造家屋における横架材と基礎との間に配設する耐震補強筋交い用具であって、外周にねじ山が螺刻され横架材内に螺着する筒状体と、一端にねじ山が螺刻されるとともに他端に少なくとも筒状体の内径よりも径大な頭部が設けられた該筒状体内に挿通する第１筋交い部材と、少なくとも一端にねじ山が螺刻され基礎内に他端を埋設固着する第２筋交い部材と、第１、第２筋交い部材のねじ山に螺合する螺合孔が設けられた連結部材とからなり、前記筒状体の一端には長手方向に所要数のスリット状の切欠部が設けられ且つ該頭部が一端内に位置した際に拡開する拡開部が形成されてなることを特徴とする耐震補強筋交い用具。
【請求項２】
既存の木造家屋における２つの横架材間に配設する耐震補強筋交い用具であって、外周にねじ山が螺刻されそれぞれの横架材内に螺着する第１、第２筒状体と、一端にねじ山が螺刻されるとともに他端に少なくとも筒状体の内径よりも径大な頭部が設けられ該筒状体内に挿通する第１、第２筋交い部材と、第１、第２筋交い部材のねじ山に螺合する螺合孔が設けられた連結部材とからなり、前記第１、第２筒状体の一端には長手方向に所要数のスリット状の切欠部が設けられ且つ該頭部が一端内に位置した際に拡開する拡開部が形成されてなることを特徴とする耐震補強筋交い用具。
【請求項３】
既存の木造家屋における横架材と基礎との間に配設する耐震補強用の筋交い用具施工方法であって、外周にねじ山が螺刻され且つ一端には長手方向に所要数のスリット状の切欠部が設けられるとともに他端には所要数の係合凹部が設けられた筒状体と、一端にねじ山が螺刻されるとともに他端に少なくとも筒状体の内径よりも径大な頭部が形成された第１筋交い部材と、少なくとも一端にねじ山が螺刻された第２筋交い部材と、螺合孔が設けられた連結部材と、端部に該係合凹部に係合する係合凸部が所要数設けられた筒状部材とからなり、まず少なくとも筒状体の外径より径小な孔を横架材に設けるとともに少なくとも第２筋交い部材の外径より径大な孔を基礎に設け、該基礎に設けられた孔に接着剤を充填するとともに第２筋交い部材の他端を挿入し、横架材に設けらた孔に予め第１筋交い部材を挿通した筒状体を螺着し、連結部材を介して第１、第２筋交い部材を連結し、前記接着剤が硬化した後に連結部材を介して第１、第２筋交い部材を締め付けて前記頭部を筒状体の一端内に位置させて拡開してなることを特徴とする耐震補強筋交い用具施工方法。
【請求項４】
既存の木造家屋における２つの横架材間に配設する耐震補強用の筋交い用具施工方法であって、外周にねじ山が螺刻され且つ一端には長手方向に所要数のスリット状の切欠部が設けられるとともに他端には所要数の係合凹部が設けられた第１、第２筒状体と、一端にねじ山が螺刻されるとともに他端に少なくとも第１、第２筒状体の内径よりも径大な頭部が形成された第１、第２筋交い部材と、螺合孔が設けられた連結部材と、端部に該係合凹部に係合する係合凸部が所要数設けられた筒状部材とからなり、まず少なくとも第１、第２筒状体の外径より径小な孔を２つの横架材にそれぞれ設け、該孔に予め第１、第２筋交い部材を挿通した第１、第２筒状体をそれぞれ螺着し、連結部材を介して第１、第２筋交い部材を連結して前記頭部を第１、第２筒状体の一端内に位置させて拡開してなることを特徴とする耐震補強筋交い用具施工方法。
【発明の詳細な説明】
【発明の詳細な説明】
【産業上の利用分野】
【０００１】この発明は耐震補強筋交い用具及び耐震補強筋交い用具施工方法であって、既存の木造家屋の横架材と基礎の間又は２つの横架材間に床材や天井下地を取り除くことなく容易に設置することができ、耐震性と免震性を向上することのできる耐震補強筋交い用具及び耐震補強筋交い用具施工方法に関する。
【背景技術】
【０００２】従来、木造建築においてその骨組を構築するに際し、土台と柱材、桁材と柱材が交差する部分間に筋交いを入れ、木造建築物を補強し、耐震性能の向上を図ることが一般的である。また耐震性能の向上を図るための木造建築用の筋交いが創出されている（例えば、特許文献１参照。）。
しかしながら、このような筋交いでは、既存の木造建築物に配するためには少なくとも床材と天井部材を取り外した後に筋交いを配し、該筋交いを配した後に再び床材と天井部材を取り付けなければならなく作業工程が煩雑であった。【０００３】
【特許文献１】特開平１０−２６６３４６号公報
【発明が解決しようとする課題】
【０００４】本発明は、このような実情に鑑みてなされたもので、耐震性能の向上を図るとともに床材や天井部材を取り外すことなく容易に配設することができる耐震補強筋交い用具及び耐震補強筋交い用具施工方法の提供を目的とする。
【課題を解決するための手段】
【０００５】請求項１記載の発明は、既存の木造家屋における横架材と基礎との間に配設する耐震補強筋交い用具であって、外周にねじ山が螺刻され横架材内に螺着する筒状体と、一端にねじ山が螺刻されるとともに他端に少なくとも筒状体の内径よりも径大な頭部が設けられた該筒状体内に挿通する第１筋交い部材と、少なくとも一端にねじ山が螺刻され基礎内に他端を埋設固着する第２筋交い部材と、第１、第２筋交い部材のねじ山に螺合する螺合孔が設けられた連結部材とからなり、前記筒状体の一端には長手方向に所要数のスリット状の切欠部が設けられ且つ該頭部が一端内に位置した際に拡開する拡開部が形成されてなることを特徴とする耐震補強筋交い用具を提供する。
【０００６】請求項２記載の発明は、既存の木造家屋における２つの横架材間に配設する耐震補強筋交い用具であって、外周にねじ山が螺刻されそれぞれの横架材内に螺着する第１、第２筒状体と、一端にねじ山が螺刻されるとともに他端に少なくとも筒状体の内径よりも径大な頭部が設けられ該筒状体内に挿通する第１、第２筋交い部材と、第１、第２筋交い部材のねじ山に螺合する螺合孔が設けられた連結部材とからなり、前記第１、第２筒状体の一端には長手方向に所要数のスリット状の切欠部が設けられ且つ該頭部が一端内に位置した際に拡開する拡開部が形成されてなることを特徴とする耐震補強筋交い用具を提供する。
【０００７】請求項３記載の発明は、既存の木造家屋における横架材と基礎との間に配設する耐震補強用の筋交い用具施工方法であって、外周にねじ山が螺刻され且つ一端には長手方向に所要数のスリット状の切欠部が設けられるとともに他端には所要数の係合凹部が設けられた筒状体と、一端にねじ山が螺刻されるとともに他端に少なくとも筒状体の内径よりも径大な頭部が形成された第１筋交い部材と、少なくとも一端にねじ山が螺刻された第２筋交い部材と、螺合孔が設けられた連結部材と、端部に該係合凹部に係合する係合凸部が所要数設けられた筒状部材とからなり、まず少なくとも筒状体の外径より径小な孔を横架材に設けるとともに少なくとも第２筋交い部材の外径より径大な孔を基礎に設け、該基礎に設けられた孔に接着剤を充填するとともに第２筋交い部材の他端を挿入し、横架材に設けらた孔に予め第１筋交い部材を挿通した筒状体を螺着し、連結部材を介して第１、第２筋交い部材を連結し、前記接着剤が硬化した後に連結部材を介して第１、第２筋交い部材を締め付けて前記頭部を筒状体の一端内に位置させて拡開してなることを特徴とする耐震補強筋交い用具施工方法を提供する。
【０００８】請求項４記載の発明は、既存の木造家屋における２つの横架材間に配設する耐震補強用の筋交い用具施工方法であって、外周にねじ山が螺刻され且つ一端には長手方向に所要数のスリット状の切欠部が設けられるとともに他端には所要数の係合凹部が設けられた第１、第２筒状体と、一端にねじ山が螺刻されるとともに他端に少なくとも第１、第２筒状体の内径よりも径大な頭部が形成された第１、第２筋交い部材と、螺合孔が設けられた連結部材と、端部に該係合凹部に係合する係合凸部が所要数設けられた筒状部材とからなり、まず少なくとも第１、第２筒状体の外径より径小な孔を２つの横架材にそれぞれ設け、該孔に予め第１、第２筋交い部材を挿通した第１、第２筒状体をそれぞれ螺着し、連結部材を介して第１、第２筋交い部材を連結して前記頭部を第１、第２筒状体の一端内に位置させて拡開してなることを特徴とする耐震補強筋交い用具施工方法を提供する。
【発明を実施するための最良の形態】
【０００９】本発明の実施の形態を図面を参照しつつ説明する。
図１はこの発明の一実施例に係る第１筋交い部材及び筒状体を示す概略斜視図、図２はこの発明の一実施例に係る耐震補強筋交い用具施工方法を説明するための概略断面図、図３は図２示と同様にこの発明の一実施例に係る耐震補強筋交い用具施工方法を説明するための概略断面図、図４は図２示と同様にこの発明の一実施例に係る耐震補強筋交い用具施工方法を説明するための概略断面図、図５は図２示と同様にこの発明の一実施例に係る耐震補強筋交い用具施工方法を説明するための概略断面図、図６は図２示と同様にこの発明の一実施例に係る耐震補強筋交い用具施工方法を説明するための概略斜視図、図７は図２示と同様にこの発明の一実施例に係る耐震補強筋交い用具施工方法を説明するための概略斜視図、図８はこの発明の他の実施例に係る耐震補強筋交い用具施工方法を説明するための概略断面図、図９はこの発明の他の実施例に係る耐震補強筋交い用具施工方法を説明するための概略断面図である。【００１０】（１）は既存の木造家屋における横架材（１８）と基礎（１９）との間に配設する耐震補強筋交い用具であって、この耐震補強筋交い用具（１）は第１、第２筋交い部材（２）（３）と、筒状体（４）と、連結部材（５）とからなる。
第１筋交い部材（２）の一端にはねじ山（６）が螺刻され、他端には少なくとも筒状体（４）の内径よりも径大な頭部（７）が形成されている。この頭部（７）の形状は断面視テーパ状、断面視略楕円形状、略球形状に形成するとよい。
第２筋交い部材（３）の少なくとも一端にはねじ山（８）が螺刻されている。尚、この第２筋交い部材（３）の他端にねじ山（１７）を螺刻してもよい。
図１に示すように、筒状体（４）の外周にはねじ山（９）が螺刻され、この筒状体（４）の一端には長手方向に所要数のスリット状の切欠部（１０）（１０）・・・が設けられ、且つ前記頭部（７）が一端内に位置した際に拡開する拡開部（１１）が形成されている。また、他端には所要数の係合凹部（１２）（１２）・・・が設けられている。
連結部材（５）には螺合孔（１３）が設けられている。
尚、第１、第２筋交い部材（２）（３）、筒状体（４）、連結部材（５）は、引張性が高い素材であるステンレスが好適に採用されるが、これに限定されず、引張性の高い素材であれば、鉄、チタン、炭素繊維、ファインセラミック等が採用される。【００１１】次に、この耐震補強筋交い用具（１）の木造家屋への施工方法を図２乃至図７に基づいて説明する。まず、横架材（１８）に少なくとも筒状体（４）の外径よりも径小な所要長さの孔（１４ａ）を設けるとともに、基礎（１９）に少なくとも第２筋交い部材（３）の外径よりも径大な所要長さの孔（１４ｂ）を設ける。勿論、横架材（１８）に孔（１４ａ）を設けるときには天井下地（２０）に貫通孔（２１ａ）を設け、基礎（１９）に孔（１４ｂ）を設けるときには床材（２２）や根太（２３）にそれぞれ貫通孔（２１ｂ）（２１ｃ）を設ける。
２つの孔（１４ａ）（１４ｂ）は、図３に示すようにそれぞれの軸線（２４）が略一直線となるように設ける。孔（１４ａ）（１４ｂ）の軸線（２４）が略一直線上となるように設けるには、天井下地（２０）と床材（２２）に挿入孔（図示せず）を設け、この挿入孔にスコープを挿入して横架材（１８）及び基礎（１９）の孔（１４ａ）（１４ｂ）を形成する位置（以下、基準点と称す）を確認する。その後、レーザラインマーカーを用いてレーザ光を基準点を結ぶように出射し、このレーザ光に合わせて貫通孔（２１ａ）（２１ｂ）（２１ｃ）及び孔（１４ａ）（１４ｂ）を形成する。またレーザラインマーカーを用いず、基準点を結ぶように糸や紐等を張り、その糸や紐等に合わせて貫通孔（２１ａ）（２１ｂ）（２１ｃ）及び孔（１４ａ）（１４ｂ）を形成してもよい。【００１２】基礎（１９）に設けた孔（１４ｂ）に接着剤（図示せず）を充填するとともに、図２に示すように第２筋交い部材（３）の他端を挿入する。
横架材（１８）に設けた孔（１４ａ）に、予め第１筋交い部材（２）を挿通した筒状体（４）を螺着する。筒状体（４）を横架材（１８）に螺着するには筒状部材（１５）を用いる。図７に示すようにこの筒状部材（１５）の端部には所要数の係合凸部（１６）（１６）・・・が設けられており、この係合凸部（１６）（１６）・・・を係合凹部（１２）（１２）・・・に噛合させ、ネジ作用により、図４に示すように筒状体（４）を横架材（２０）に螺着する。
尚、この第１筋交い部材（２）は頭部（７）が筒状体（４）の切欠部（１０）（１０）・・・が設けられた側に位置するよう配してなる。
次いで、連結部材（５）を介して第１筋交い部材（２）と第２筋交い部材（３）を連結する。前記接着剤が硬化した後に、連結部材（５）を介して第１、第２筋交い部材（２）（３）を締め付ける。この締め付けにより、頭部（７）が徐々に筒状体（４）内に嵌入し、図５及び図６に示すように筒状体（４）の一端が拡開して拡開部（１１）が形成される。【００１３】このように、連結部材（５）を介して第１、第２筋交い部材（２）（３）を締め付けることで頭部（７）が徐々に筒状体（４）内に嵌入し、筒状体（４）の一端が拡開して拡開部（１１）が横架材（１８）内に形成されるので、耐震補強筋交い用具（１）を既存の木造家屋の横架材（１８）と基礎（１９）との間に強固に取り付けることができ耐震性の向上を図ることができ、更に天井部材（２０）や床材（２２）を取り外すことなく容易に配設作業を行うことができる。【００１４】次に本発明の他の実施の形態を説明する。
（１ａ）は既存の木造家屋における２つの横架材（１８）（１８）間に配設する耐震補強筋交い用具であって、この耐震補強筋交い用具（１ａ）は第１、第２筋交い部材（２ａ）（３ａ）と、筒状体（４ａ）（４ａ）と、連結部材（５）とからなる。
第１、第２筋交い部材（２ａ）（３ａ）の一端にはねじ山が螺刻され、他端には少なくとも筒状体（４ａ）（４ａ）の内径よりも径大な頭部が形成されている。この頭部の形状は断面視テーパ状、断面視略楕円形状、略球形状に形成するとよい。
筒状体（４ａ）（４ａ）の外周にはねじ山が螺刻され、この筒状体の一端には長手方向に所要数のスリット状の切欠部がそれぞれ設けられ、且つ前記頭部が一端内に位置した際に拡開する拡開部（１１ａ）（１１ａ）が形成されている。また、他端には所要数の係合凹部がそれぞれ設けられている。
連結部材（５）には螺合孔が設けられている。
尚、第１、第２筋交い部材（２ａ）（３ａ）、筒状体（４ａ）（４ａ）、連結部材（５）は、引張性が高い素材であるステンレスが好適に採用されるが、これに限定されず、引張性の高い素材であれば、鉄、チタン、炭素繊維、ファインセラミック等が採用される。【００１５】次に、この耐震補強筋交い用具（１ａ）の木造家屋への施工方法を図８及び図９に基づいて説明する。まず、図８に示すように２つの横架材（１８）（１８）に少なくとも筒状体（４ａ）（４ａ）の外径よりも径小な所要長さの孔（１４ａ）（１４ａ）を設ける。勿論、天井下地（２０）側に配設さてた横架材（１８）に孔（１４ａ）（１４ａ）を設けるときには天井下地（２０）に貫通孔（２１ａ）を設け、床材（２２）側に配設された横架材（１８）に孔（１４ａ）を設けるときには床材（２２）や根太（図示せず）にそれぞれ貫通孔（２１ｂ）を設ける。
２つの孔（１４ａ）（１４ａ）は、図８に示すようにそれぞれの軸線（２４）が略一直線となるように設ける。孔（１４ａ）（１４ａ）の軸線（２４）が略一直線上となるように設けるには、天井下地（２０）と床材（２２）に挿入孔（図示せず）を設け、この覗き穴にスコープを挿入して基準点を確認する。その後、レーザラインマーカーを用いてレーザ光を基準点を結ぶように出射し、このレーザ光に合わせて貫通孔（２１ａ）（２１ｂ）及び孔（１４ａ）（１４ａ）を形成する。またレーザラインマーカーを用いず、基準点を結ぶように糸や紐等を張り、その糸や紐等に合わせて貫通孔（２１ａ）（２１ｂ）及び孔（１４ａ）（１４ａ）を形成してもよい。【００１６】横架材（１８）（１８）に設けた孔（１４ａ）（１４ａ）に、予め第１、第２筋交い部材（２ａ）（３ａ）を挿通した筒状体（４ａ）（４ａ）を螺着する。筒状体（４ａ）（４ａ）をそれぞれの横架材（１８）（１８）に螺着するには筒状部材（１５）を用いる。この筒状部材（１５）の端部には所要数の係合凸部（１６）（１６）・・・が設けられており、この係合凸部（１６）（１６）・・・を係合凹部（１２）（１２）・・・に噛合させ、ネジ作用により筒状体（４ｂ）（４ｂ）を横架材（２０）（２０）に螺着する。
尚、この第１、第２筋交い部材（２ａ）（３ａ）は頭部が筒状体（４ａ）（４ａ）の切欠部が設けられた側に位置するよう配してなる。
次いで、連結部材（５）を介して第１筋交い部材（２ａ）と第２筋交い部材（３ａ）を連結し、連結部材（５ｂ）を介して第１、第２筋交い部材（２ａ）（３ａ）を締め付ける。この締め付けにより、頭部が徐々に筒状体（４ａ）（４ａ）内に嵌入し、図９に示すように筒状体（４ａ）（４ａ）の一端が拡開して拡開部（１１ａ）（１１ａ）が形成される。【００１７】このように、連結部材（５）を介して第１、第２筋交い部材（２ａ）（３ａ）を締め付けることで頭部が徐々に筒状体（４ａ）（４ａ）内に嵌入し、筒状体（４ａ）（４ａ）の一端が拡開して拡開部（１１ａ）（１１ａ）が横架材（１８）（１８）内にそれぞれ形成されるので、耐震補強筋交い用具（１ａ）を既存の木造家屋の２つの横架材（１８）（１８）間に強固に取り付けることができ耐震性の向上を図ることができ、更に天井部材（２０）や床材（２２）を取り外すことなく容易に配設作業を行うことができる。
【発明の効果】
【００１８】以上のように請求項１記載の発明は、既存の木造家屋における横架材と基礎との間に配設する耐震補強筋交い用具であって、外周にねじ山が螺刻され横架材内に螺着する筒状体と、一端にねじ山が螺刻されるとともに他端に少なくとも筒状体の内径よりも径大な頭部が設けられた該筒状体内に挿通する第１筋交い部材と、少なくとも一端にねじ山が螺刻され基礎内に他端を埋設固着する第２筋交い部材と、第１、第２筋交い部材のねじ山に螺合する螺合孔が設けられた連結部材とからなり、前記筒状体の一端には長手方向に所要数のスリット状の切欠部が設けられ且つ該頭部が一端内に位置した際に拡開する拡開部が形成されてなることを特徴とする耐震補強筋交い用具であるから、以下の効果を奏する。
即ち、連結部材を介して第１、第２筋交い部材を締め付けることで頭部が徐々に筒状体内に嵌入し、筒状体の一端が拡開して拡開部が横架材内に形成されるので、既存の木造家屋の横架材と基礎との間に強固に取り付けることができ耐震性の向上を図ることができる。
【００１９】請求項２記載の発明は、既存の木造家屋における２つの横架材間に配設する耐震補強筋交い用具であって、外周にねじ山が螺刻されそれぞれの横架材内に螺着する第１、第２筒状体と、一端にねじ山が螺刻されるとともに他端に少なくとも筒状体の内径よりも径大な頭部が設けられ該筒状体内に挿通する第１、第２筋交い部材と、第１、第２筋交い部材のねじ山に螺合する螺合孔が設けられた連結部材とからなり、前記第１、第２筒状体の一端には長手方向に所要数のスリット状の切欠部が設けられ且つ該頭部が一端内に位置した際に拡開する拡開部が形成されてなることを特徴とする耐震補強筋交い用具であるから、以下の効果を奏する。
即ち、連結部材を介して第１、第２筋交い部材を締め付けることで頭部が徐々に筒状体内に嵌入し、筒状体の一端が拡開して拡開部が横架材内に形成されるので、既存の木造家屋の横架材間に強固に取り付けることができ耐震性の向上を図ることができる。
【００２０】請求項３記載の発明は、既存の木造家屋における横架材と基礎との間に配設する耐震補強用の筋交い用具施工方法であって、外周にねじ山が螺刻され且つ一端には長手方向に所要数のスリット状の切欠部が設けられるとともに他端には所要数の係合凹部が設けられた筒状体と、一端にねじ山が螺刻されるとともに他端に少なくとも筒状体の内径よりも径大な頭部が形成された第１筋交い部材と、少なくとも一端にねじ山が螺刻された第２筋交い部材と、螺合孔が設けられた連結部材と、端部に該係合凹部に係合する係合凸部が所要数設けられた筒状部材とからなり、まず少なくとも筒状体の外径より径小な孔を横架材に設けるとともに少なくとも第２筋交い部材の外径より径大な孔を基礎に設け、該基礎に設けられた孔に接着剤を充填するとともに第２筋交い部材の他端を挿入し、横架材に設けらた孔に予め第１筋交い部材を挿通した筒状体を螺着し、連結部材を介して第１、第２筋交い部材を連結し、前記接着剤が硬化した後に連結部材を介して第１、第２筋交い部材を締め付けて前記頭部を筒状体の一端内に位置させて拡開してなることを特徴とする耐震補強筋交い用具施工方法であるから、以下の効果を奏する。
即ち、連結部材を介して第１、第２筋交い部材を締め付けることで頭部が徐々に筒状体内に嵌入し、筒状体の一端が拡開して拡開部が横架材内に形成されるので、既存の木造家屋の横架材と基礎との間に強固に取り付けることができ耐震性の向上を図ることができ、更に天井部材や床材を取り外すことなく容易に配設作業を行うことができる。
【００２１】請求項４記載の発明は、既存の木造家屋における２つの横架材間に配設する耐震補強用の筋交い用具施工方法であって、外周にねじ山が螺刻され且つ一端には長手方向に所要数のスリット状の切欠部が設けられるとともに他端には所要数の係合凹部が設けられた第１、第２筒状体と、一端にねじ山が螺刻されるとともに他端に少なくとも第１、第２筒状体の内径よりも径大な頭部が形成された第１、第２筋交い部材と、螺合孔が設けられた連結部材と、端部に該係合凹部に係合する係合凸部が所要数設けられた筒状部材とからなり、まず少なくとも第１、第２筒状体の外径より径小な孔を２つの横架材にそれぞれ設け、該孔に予め第１、第２筋交い部材を挿通した第１、第２筒状体をそれぞれ螺着し、連結部材を介して第１、第２筋交い部材を連結して前記頭部を第１、第２筒状体の一端内に位置させて拡開してなることを特徴とする耐震補強筋交い用具施工方法であるから、以下の効果を奏する。
即ち、連結部材を介して第１、第２筋交い部材を締め付けることで頭部が徐々に筒状体内に嵌入し、筒状体の一端が拡開して拡開部が横架材内に形成されるので、既存の木造家屋の横架材間に強固に取り付けることができ耐震性の向上を図ることができ、更に天井部材や床材を取り外すことなく容易に配設作業を行うことができる。
【図面の簡単な説明】
【図１】この発明の一実施例に係る第１筋交い部材及び筒状体を示す概略斜視図である。
【図２】この発明の一実施例に係る耐震補強筋交い用具施工方法を説明するための概略断面図である。
【図３】図２示と同様にこの発明の一実施例に係る耐震補強筋交い用具施工方法を説明するための概略断面図である。
【図４】図２示と同様にこの発明の一実施例に係る耐震補強筋交い用具施工方法を説明するための概略断面図である。
【図５】図２示と同様にこの発明の一実施例に係る耐震補強筋交い用具施工方法を説明するための概略断面図である。
【図６】図２示と同様にこの発明の一実施例に係る耐震補強筋交い用具施工方法を説明するための概略斜視図である。
【図７】図２示と同様にこの発明の一実施例に係る耐震補強筋交い用具施工方法を説明するための概略斜視図である。
【図８】この発明の他の実施例に係る耐震補強筋交い用具施工方法を説明するための概略断面図である。
【図９】この発明の他の実施例に係る耐震補強筋交い用具施工方法を説明するための概略断面図である。
【符号の説明】
１  耐震補強筋交い用具
１ａ  耐震補強筋交い用具
２  第１筋交い部材
２ａ  第１筋交い部材
３  第２筋交い部材
３ａ  第２筋交い部材
４  筒状体
４ａ  筒状体
５  連結部材
６  ねじ山
７  頭部
８  ねじ山
９  ねじ山
１０  切欠部
１１  拡開部
１１ａ  拡開部
１２  係合凹部
１３  螺合孔
１４ａ  孔
１４ｂ  孔
１５  筒状部材
１６  係合凸部
１７  ねじ山
１８  横架材
１９  基礎
２０  天井下地
２１ａ  貫通孔
２１ｂ  貫通孔
２１ｃ  貫通孔
２２  床材
２３  根太
２４  軸線
【図１】
2007278056.tif 000003
【図２】
2007278056.tif 000004
【図３】
2007278056.tif 000005
【図４】
2007278056.tif 000006
【図５】
2007278056.tif 000007
【図６】
2007278056.tif 000008
【図７】
2007278056.tif 000009
【図８】
2007278056.tif 000010
【図９】
2007278056.tif 000011